(57)【要約】【課題】作業性を向上させることが可能なバッテリーターミナルを提供する。【解決手段】予め、バッテリーターミナル本体２の締め付け部８、８に締め付けボルト３を挿入するとともに、この締め付けボルト３の先端にナット４を螺合させておく。締め付けボルト３及びナット４を仮止めした状態のバッテリーターミナル本体２に対し、この下側から防食カバー５を近づけ、防食カバー５の狭入部３１を締め付け部８、８の間の締め付け間隙２０に差し込み、狭入部３１を締め付けボルト３に嵌合させる。そして、矢印Ｑで示す如く回転組み付けを行い、防食カバー５の係止突起部３４をバッテリーターミナル本体２の電線接続部１１の後端に嵌合させると、防食カバー５はバッテリーターミナル本体２に対して密着し、これにより防食カバー５の取り付けが完了する。防食カバー５は簡単に取り付く。【選択図】図２
2008288115.tif 000002
【特許請求の範囲】
【請求項１】
一対の締め付け部を有してバッテリーポストに取り付けられるバッテリーターミナル本体と、締め付けにより前記一対の締め付け部の間隔を狭める締め付けボルト及びナットと、前記バッテリーターミナル本体及びバッテリー間に位置し前記バッテリーターミナル本体の腐食を防止する防食カバーと、を備えるバッテリーターミナルにおいて、
前記防食カバーは、前記締め付けボルトの挿通部分となる狭入部を一部分断してフック形状に形成してなる
ことを特徴とするバッテリーターミナル。
【請求項２】
請求項１に記載のバッテリーターミナルにおいて、
前記防食カバーは、前記バッテリーポストの軸に対して平行な方向もしくは直交する方向に分断して前記狭入部を前記フック形状にするとともに、前記バッテリーターミナル本体に対して引っ掛かり係止状態を形成する係止突起部を更に有する
ことを特徴とするバッテリーターミナル。
【発明の詳細な説明】
【技術分野】
【０００１】
本発明は、バッテリーポストに取り付けられるバッテリーターミナル本体と、締め付けボルト及びナットと、バッテリーターミナル本体の腐食を防止する防食カバーと、を備えて構成されるバッテリーターミナルに関する。
【背景技術】
【０００２】
バッテリーターミナル本体と、締め付けボルト及びナットと、防食カバーとを備えて構成される従来のバッテリーターミナルとしては、下記特許文献１に開示されたものが知られている。
【０００３】
図５において、バッテリーターミナル本体１４１は、上下方向に配置される一対の環状部１４５ａ、１４５ｂを有している。この環状部１４５ａ、１４５ｂには、バッテリーポスト１０３を内側に挿入するバッテリーポスト挿入穴１４７が各々形成されている。環状部１４５ａ、１４５ｂは、バッテリーポスト挿入穴１４７の円周方向の一箇所を分断して形成された締め付け間隙１４９を有しており、この部分によって開放されている。
【０００４】
環状部１４５ａ、１４５ｂは、締め付け間隙１４９側で一対の締め付け部１５５、１５５により上下が連結されている。また、締め付け間隙１４９の反対側では、接合板１５１ａ、１５１ｂ同士が重ね合わせられて電線接続部が形成されている。接合板１５１ａには、端子固定ボルト１５３が立設されている。
【０００５】
上下の環状部１４５ａ、１４５ｂを連結する一対の締め付け部１５５、１５５には、左右方向の貫通穴１５７が各々形成されている。この貫通穴１５７には、締め付け間隙１４９を横断する締め付けボルト１５９が挿入されている。
【０００６】
貫通穴１５７を貫通した締め付けボルト１５９は、先端に螺合するナット１６１と共働して、締め付け間隙１４９の両側の一対の締め付け部１５５、１５５を互いに近接する方向に締め付けることができるようになっている。そして、この締め付けが生じると、環状部１４５ａ、１４５ｂのバッテリーポスト挿入穴１４７は縮径するようになっている。
【０００７】
防食カバー１６３は、バッテリーターミナル本体１４１及びバッテリー間に配設されている。防食カバー１６３は、底板部１６５を有しており、この底板部１６５の周囲には、環状部１４５ａ、１４５ｂ、及び電線接続部の側面を包囲する壁部１６７が形成されている。底板部１６５の中央には、バッテリーポスト１０３を挿入するための穴１６９が穿設されている。
【０００８】
このような底板部１６５の一端には、締め付け間隙１４９に挿入される挟入部１７１が立設されている。挟入部１７１には、締め付けボルト１５９が挿通される貫通孔１７３が穿設されている。挟入部１７１は、この両面が先端に向けて先細りするテーパ形状に形成されている。
【０００９】
上記構成において、防食カバー１６３の挟入部１７１が環状部１４５ａ、１４５ｂの締め付け間隙１４９に挿入される。防食カバー１６３とバッテリーターミナル本体１４１は一体に組み合わされ、穴１６９及びバッテリーポスト挿入穴１４７にはバッテリーポスト１０３が挿入される。
【００１０】
一対の締め付け部１５５、１５５及び挟入部１７１に締め付けボルト１５９が挿通され、ナット１６１が螺合して締め付けが行われると、一対の締め付け部１５５、１５５が互いに近接し、環状部１４５ａ、１４５ｂがバッテリーポスト１０３の外周面に密接する。テーパ形状のバッテリーポスト１０３に密接した環状部１４５ａ、１４５ｂは、図６に示す如く、バッテリーポスト１０３のテーパに沿って変形し、これに伴って一対の締め付け部１５５、１５５の対向面１５５ａ、１５５ａ同士がハの字状に傾斜する。この結果、対向面１５５ａ、１５５ａは挟入部１７１の両面と平行になり、さらにナット１６１を締め付けを行うと、対向面１５５ａ、１５５ａは平行移動して近接し、挟入部１７１の両面に平行に当接する。
【特許文献１】特開平１０−１２２１４号公報  （第３−４頁、第１−４図）
【発明の開示】
【発明が解決しようとする課題】
【００１１】
ところで、上記従来技術にあっては、防食カバー１６３の交換やバッテリーターミナルの解体時において、締め付けボルト１５９を抜き取るまでは防食カバー１６３を取り外すことができないことから、作業性が悪いという問題点を有している。
【００１２】
また、一対の締め付け部１５５、１５５の間の締め付け間隙１４９に挟入部１７１を挿入した状態でないと締め付けボルト１５９による締め付け作業ができないことから、この場合も作業性が悪いという問題点を有している。
【００１３】
本発明は、上述した事情に鑑みてなされたもので、作業性を向上させることが可能なバッテリーターミナルを提供することを課題とする。
【課題を解決するための手段】
【００１４】
上記課題を解決するためになされた請求項１記載の本発明のバッテリーターミナルは、一対の締め付け部を有してバッテリーポストに取り付けられるバッテリーターミナル本体と、締め付けにより前記一対の締め付け部の間隔を狭める締め付けボルト及びナットと、前記バッテリーターミナル本体及びバッテリー間に位置し前記バッテリーターミナル本体の腐食を防止する防食カバーと、を備えるバッテリーターミナルにおいて、前記防食カバーは、前記締め付けボルトの挿通部分となる狭入部を一部分断してフック形状に形成してなることを特徴としている。
【００１５】
このような特徴を有する本発明によれば、狭入部に形成した一部分断した部分を介して防食カバーを締め付けボルトに対し取り付けることができるようになる。これにより、予め締め付けボルトをバッテリーターミナル本体の一対の締め付け部に挿通した状態で防食カバーの取り付けを行うことができるようになる。また、本発明によれば、締め付けボルトをバッテリーターミナル本体の一対の締め付け部から抜き取らなくても、狭入部に形成した一部分断した部分を介して防食カバーを取り外すことができるようになる。
【００１６】
請求項２記載の本発明のバッテリーターミナルは、請求項１に記載のバッテリーターミナルにおいて、前記防食カバーは、前記バッテリーポストの軸に対して平行な方向もしくは直交する方向に分断して前記狭入部を前記フック形状にするとともに、前記バッテリーターミナル本体に対して引っ掛かり係止状態を形成する係止突起部を更に有することを特徴としている。
【００１７】
このような特徴を有する本発明によれば、一部分断した部分をバッテリーポストの軸に対して平行な方向に形成した場合（上向きのフックにした場合）、作業者にとって防食カバーを締め付けボルトに取り付ける際に一部分断した部分の位置が分かり易くなる。また、一部分断した部分をバッテリーポストの軸に対して直交する方向に形成した場合（横向きのフックにした場合）は、防食カバー取り付け後の、この防食カバーの脱落をより確実に防止することができるようになる。一方、係止突起を有することにより、防食カバーの脱落防止に寄与するのは勿論のこと、例えばバッテリーターミナル本体と防食カバーの両方を持たずに締め付けボルトの抜き挿しやナットの締め付けをすることが可能になり、作業性を更に向上させることができるようになる。
【発明の効果】
【００１８】
請求項１に記載された本発明によれば、従来よりも格段に作業性を向上させることができるという効果を奏する。また、請求項２に記載された本発明によれば、作業性を更に向上させることができるという効果を奏する。
【発明を実施するための最良の形態】
【００１９】
以下、図面を参照しながら説明する。図１は本発明のバッテリーターミナルの一実施の形態を示す分解斜視図である。また、図２は防食カバーの取り付け説明図である。
【００２０】
図１及び図２において、引用符号１は既知のバッテリーポスト１０３（図５参照。以下同様）に巻着するバッテリーターミナルを示している。このバッテリーターミナル１は、特に限定するものではないが、自動車等の移動体に搭載されるバッテリー（不図示）のバッテリーポスト１０３に対して接続されるバッテリーターミナル本体２と、締め付けボルト３及びナット４と、バッテリーターミナル本体２の腐食を防止する防食カバー５とを備えて構成されている。バッテリーポスト１０３は、先端の直径が基端の直径よりも小さなテーパ状の周側面を有している。以下、各構成について詳細に説明する。
【００２１】
上記バッテリーターミナル本体２は、導電性を有する金属板をプレス加工することにより製造されている。本形態においては、Ｓｎメッキが施されている。バッテリーターミナル本体２は、一対の環状部６、７と、一対の締め付け部８、８と、一対の接合板９、１０からなる電線接続部１１とを有している。また、バッテリーターミナル本体２は、一対の接合板９、１０により保持される端子固定ボルト１２と、この端子固定ボルト１２に螺合するナット（不図示）とを有している。電線接続部１１には、外部接続端子（不図示）が接続されるようになっている。
【００２２】
本明細書において、矢印Ｐをバッテリーポスト１０３の軸方向とするとともに上下方向と定義する。また、バッテリーポスト１０３の先端を上、基端を下と定義する。従って、バッテリーターミナル本体２においては、環状部６が上、環状部７が下に配置されるものとする。また、同様に、接合板９が上、接合板１０が下に配置されるものとする。
【００２３】
環状部６は、平板状の上基板１３を有している。この上基板１３の略中央には、バッテリーポスト１０３を挿入するためのバッテリーポスト挿入穴１４が上下方向に貫通形成されている。また、上基板１３の左右両端部には、先端が下に向く係合部１５、１５がそれぞれ連成されている。
【００２４】
バッテリーポスト挿入穴１４は、バッテリーポスト１０３の周側面に接触する部分であって、先端が上に向くように上基板１３から折り曲げて形成されている。また、バッテリーポスト挿入穴１４は、バッテリーポスト１０３の先端側の直径に合わせて環状に形成されている。さらに、バッテリーポスト挿入穴１４は、締め付け部８、８の間となる部分が分断した状態に形成されている。引用符号１６はバッテリーポスト挿入穴１４の一部分断した部分を示している。
【００２５】
環状部７は、平板状の下基板１７を有している。この下基板１７の略中央には、バッテリーポスト１０３を挿入するためのバッテリーポスト挿入穴１８が上下方向に貫通形成されている。また、下基板１７の左右両端部には、先端が上に向く係合部１９、１９がそれぞれ連成されている。係合部１９、１９は、環状部６の係合部１５、１５と対向するように配置形成されている。係合部１５、１５及び１９、１９は、環状部６、７の上下方向の間隔を保つために形成されている。
【００２６】
バッテリーポスト挿入穴１８は、バッテリーポスト１０３の周側面に接触する部分であって、先端が上に向くように下基板１７から折り曲げられて形成されている。また、バッテリーポスト挿入穴１８は、バッテリーポスト１０３の基端側の直径に合わせて環状に形成されている。さらに、バッテリーポスト挿入穴１８は、締め付け部８、８の間となる部分が分断した状態に形成されている。バッテリーポスト挿入穴１８の一部分断した部分は、上記引用符号１６の部分の真下にこれと同様に形成されているものとする（同じ符号１６を用いる）。
【００２７】
締め付け部８、８は、上基板１３及び下基板１７を間隔をあけて上下に重なるようにこれらを連結する部分であって、前後方向にＵ字状に湾曲させて形成されている。すなわち、締め付け部８、８は、Ｕ字状の曲面を有しており、締め付け部８、８における上側の端部には、上基板１３の前端が連成されている（上側の一部分断した部分１６の左右両側に連成される）。また、締め付け部８、８における下側の端部には、下基板１７の前端が連成されている（下側の一部分断した部分１６の左右両側に連成される）。締め付け部８、８は、一部分断した部分１６、１６に連通する締め付け間隙２０を有して左右方向に並設されている。このような締め付け部８、８の内側には、ボルト挿通孔２１が形成されている。
【００２８】
締め付け部８、８のボルト挿通孔２１には、締め付け間隙２０を横断し貫通する上記締め付けボルト３が挿入されるようになっている。この締め付けボルト３は、先端に螺合する上記ナット４と共働して、締め付け間隙２０の両側の締め付け部８、８を互いに近接する方向に締め付けるために備えられている（締め付けが生じると、バッテリーポスト挿入穴１４、１８が縮径する）。締め付けボル３の頭部は、締め付け部８、８の端部近傍となる段部２２、２２に当接して回り止めがなされるように形成されている。
【００２９】
接合板９は、上基板１３の後端に連成される接触板部２３と、この接触板部２３の左右方向の両端部に連成される下向きの側壁２４、２４（一方のみ図示）と、側壁２４、２４に連成される内向きの下壁２５、２５（一方のみ図示）とを有している。接触板部２３は、矩形状の平板であって、この中央には、端子固定ボルト１２に対するボルト挿通孔２６が貫通形成されている。
【００３０】
接合板１０は、下基板１７の後端に連成される矩形平板部２７と、この矩形平板部２７の左右方向の両端部に連成される上向きの側壁２８、２８とを有している。矩形平板部２７の中心軸上には、端子固定ボルト１２の頭部の外形形状に合わせた頭部回転規制部（図示省略）が形成されている。接合板１０の側壁２８、２８は、接合板９の側壁２４、２４の内側となるように配置形成されている。
【００３１】
上記防食カバー５は、バッテリーとバッテリーターミナル本体２との間に介在する部材であって、バッテリー液に対しての耐食性を持たせるために合成樹脂材により成形されている。防食カバー５は、本形態において、安価な材料でもあることから、ＰＰ（ポリプロピレン）により成形されている（一例であるものとする）。防食カバー５は、底板部２９と、壁部３０と、狭入部３１とを有している。
【００３２】
底板部２９は、バッテリーターミナル本体２の環状部７及び接合板１０に対向するように形成されている。また、底板部２９は、環状部７及び接合板１０を平面で見た時の外形に合わせた形状に形成されている。このような底板部２９には、バッテリーポスト１０３を挿入するための穴３２と、接合板１０の上記頭部回転規制部（図示省略）を逃がすための穴３３とがそれぞれ上下方向に貫通するように形成されている。
【００３３】
壁部３０は、底板部２９の縁部に起立連成されている。壁部３０は、環状部６、７の係合部１５、１９と、この後方の電線接続部１１の側面とを包囲するように形成されている。壁部３０は、この高さが接合板９の接触板部２３の位置よりも高くならないように形成されている。壁部３０の後部には、電線接続部１１の後端に引っ掛けるための係止突起部３４が形成されている。係止突起部３４は、防食カバー５をバッテリーターミナル本体２にロックするための機能を有している。
【００３４】
狭入部３１は、本発明の特徴となる部分であって、底板部２９の前端に連成されている。また、狭入部３１は、上方へ突出するように形成されている。狭入部３１は、バッテリーターミナル本体２における締め付け部８、８の締め付け間隙２０に差し込むことができるような形状に形成されている。このような狭入部３１には、締め付けボルト３を挿通状態にするための貫通孔３５が形成されている。
【００３５】
狭入部３１には、貫通孔３５を一部分断する切り欠き部３６が形成されている。狭入部３１は、上側が切り欠かれてなるＣ字状のフック形状に形成されている（上向きのフック）。狭入部３１は、切り欠き部３６を介して締め付けボルト３に着脱する弾力性を有している。
【００３６】
狭入部３１は、締め付けボルト３に取り付いた状態において、締め付けボルト３を中心にして回動自在であるとともに、防食カバー５の自重では脱落が生じないような形状に形成されている。
【００３７】
尚、狭入部３１は、本形態において肉厚が一定となるように形成されている。しかしながら、これに限らず従来例のように、先端に向けて先細りするテーパ形状に形成しても良いものとする。
【００３８】
防食カバー５は、バッテリーターミナル本体２に対して嵌め合いのみで取り付けることができるように形成されている。すなわち、狭入部３１が締め付けボルト３に対して嵌合し、係止突起部３４が電線接続部１１の後端に嵌合するようになっている。
【００３９】
次に、上記構成に基づきながら、防食カバー５のバッテリーターミナル本体２に対する取り付けについて説明する。
【００４０】
予め、バッテリーターミナル本体２の締め付け部８、８のボルト挿通孔２１に締め付けボルト３を挿入するとともに、この締め付けボルト３の先端にナット４を螺合させておく。
【００４１】
締め付けボルト３及びナット４を仮止めした状態のバッテリーターミナル本体２に対し、この下側から防食カバー５を近づけ、防食カバー５の狭入部３１を締め付け部８、８の間の締め付け間隙２０に差し込むような格好で狭入部３１を締め付けボルト３に嵌合させる。
【００４２】
そして、矢印Ｑで示す如く回転組み付けを行い、防食カバー５の係止突起部３４をバッテリーターミナル本体２の電線接続部１１の後端に嵌合させると、防食カバー５はバッテリーターミナル本体２に対して密着し、これにより防食カバー５の取り付けが完了する。防食カバー５は簡単に取り付く。
【００４３】
続いて、バッテリーターミナル１のバッテリーポスト１０３に対する取り付け固定（接続）について説明する。
【００４４】
先ず、バッテリーターミナル１を下方向に移動させてバッテリーポスト挿入穴１４、１８をバッテリーポスト１０３の周側面に接触させる。次に、バッテリーターミナル１の向きを所定方向に合わせて配置する。続いて、バッテリーターミナル１の横方向からインパクトレンチ等の図示しない工具を用いてナット４を締め付ける。これにより、バッテリーポスト挿入穴１４、１８が縮径方向に縮み、このバッテリーポスト挿入穴１４、１８がバッテリーポスト１０３の周側面に対して圧接状態となって、バッテリーターミナル１の取り付けが完了する。
【００４５】
防食カバー５の交換やバッテリーターミナル１を解体する必要性が出た場合、ナット４の締め付けを緩めてバッテリーターミナル１をバッテリーポスト１０３から取り外す。ナット４の締め付けを緩めると、これに伴って防食カバー５の狭入部３１に対する締め付け部８、８による挟み込みがなくなる。防食カバー５は、係止突起部３４の引っ掛かりを解除した後、フック形状の狭入部３１を締め付けボルト３から離脱させれば、締め付けボルト３をバッテリーターミナル本体２から抜き取る前であっても簡単に取り外すことができる。
【００４６】
以上、図１及び図２を参照しながら説明してきたように、本発明のバッテリーターミナル１は、従来よりも格段に作業性を向上させることができる。すなわち、防食カバー５の取り付け取り外しを簡単に行うことができ、これによって作業性を向上させることができる。
【００４７】
図３及び図４を参照しながら本発明のバッテリーターミナルの他の一実施の形態を説明する。図３は他の一実施の形態を示す分解斜視図である。また、図４は防食カバーの取り付け説明図である。
【００４８】
図３及び図４において、引用符号５１で示すバッテリーターミナルは、図１及び図２を参照しながら説明した上記バッテリーターミナル１に対して防食カバーのみが異なっている。詳しくは、狭入部の形状のみが異なっている。以下、バッテリーターミナル５１の防食カバー５２について説明する。
【００４９】
防食カバー５２は、バッテリーとバッテリーターミナル本体２との間に介在する部材であって、バッテリー液に対しての耐食性を持たせるために合成樹脂材により成形されている。防食カバー５２は、本形態において、安価な材料でもあることから、ＰＰ（ポリプロピレン）により成形されている（一例であるものとする）。防食カバー５２は、底板部２９と、壁部３０と、狭入部５３とを有している。
【００５０】
狭入部５３は、本発明の特徴となる部分であって、横向きのフック形状に形成されている。具体的に説明すると、狭入部５３は、底板部２９の前端に連成されている。また、狭入部５３は、上方へ突出するように形成されている。狭入部５３は、バッテリーターミナル本体２における締め付け部８、８の締め付け間隙２０に差し込むことができるような形状に形成されている。このような狭入部５３には、締め付けボルト３を挿通状態にするための貫通孔３５が形成されている。
【００５１】
狭入部５３には、貫通孔３５を一部分断する切り欠き部３６が形成されている。狭入部５３は、後側が切り欠かれてなるＣ字状のフック形状に形成されている（横向きのフック）。狭入部５３は、切り欠き部３６を介して締め付けボルト３に着脱する弾力性を有している。
【００５２】
狭入部５３は、締め付けボルト３に取り付いた状態において、締め付けボルト３を中心にして回動自在であるとともに、防食カバー５の自重では脱落が生じないような形状に形成されている。
【００５３】
防食カバー５２は、バッテリーターミナル本体２に対して嵌め合いのみで取り付けることができるように形成されている。すなわち、狭入部５３が締め付けボルト３に対して嵌合し、係止突起部３４が電線接続部１１の後端に嵌合するようになっている。
【００５４】
防食カバー５２のバッテリーターミナル本体２に対する取り付けは、狭入部５３が横向きのフックであることから、締め付けボルト３に対する嵌め合いの方向が異なるだけで、この他の取り付けはバッテリーターミナル１の防食カバー５の時と同じである。また、取り外しも締め付けボルト３からの離脱方向以外は同じである。
【００５５】
防食カバー５２に関しては、狭入部５３が横向きのフック形状であることから、バッテリーターミナル本体２への取り付け後の脱落（下方向に落ちない）をより確実に防止することができるという利点を有する。
【００５６】
本発明は本発明の主旨を変えない範囲で種々変更実施可能なことは勿論である。
【図面の簡単な説明】
【００５７】
【図１】本発明のバッテリーターミナルの一実施の形態を示す分解斜視図である。
【図２】図１の防食カバーの取り付け説明図である。
【図３】本発明のバッテリーターミナルの他の一実施の形態を示す分解斜視図である。
【図４】図３の防食カバーの取り付け説明図である。
【図５】従来例のバッテリーターミナルの分解斜視図である。
【図６】図５のバッテリーターミナルの取り付け説明図であり、（ａ）は締め付け開始時の図、（ｂ）は締め付け完了後の図である。
【符号の説明】
【００５８】
１  バッテリーターミナル
２  バッテリーターミナル本体
３  締め付けボルト
４  ナット
５  防食カバー
６、７  環状部
８  締め付け部
９、１０  接合板
１１  電線接続部
１２  端子固定ボルト
１３  上基板
１４、１８  バッテリーポスト挿入穴
１５、１９  係合部
１６  バッテリーポスト挿入穴の一部分断した部分
１７  下基板
２０  締め付け間隙
２１  ボルト挿通孔
２２  段部
２３  接触板部
２４  側壁
２５  下壁
２６  ボルト挿通孔
２７  矩形平板部
２８  側壁
２９  底板部
３０  壁部
３１  狭入部
３２、３３  穴
３４  係止突起部
３５  貫通孔
３６  切り欠き部
５１  バッテリーターミナル
５２  防食カバー
５３  狭入部
１０３  バッテリーポスト
【図１】
2008288115.tif 000003
【図２】
2008288115.tif 000004
【図３】
2008288115.tif 000005
【図４】
2008288115.tif 000006
【図５】
2008288115.tif 000007
【図６】
2008288115.tif 000008